(57)【要約】【課題】三脚などを用いずに所望のアングルでカメラを設置できる、簡易な構造のレンズフードを提供することを目的とする。【解決手段】レンズフード１０は、レンズ鏡筒２４の先端に設けられるとともに、レンズ鏡筒２４に形成された不図示の溝に嵌合され、レンズ鏡筒２４の円周方向に対して回転可能に取り付けられている。また、レンズフード１０は突出部１２を有しており、この突出部１２は、レンズ鏡筒２４の光軸（中心軸Ｌ２）に対して半径方向の距離が周方向によって異なるようにレンズフード１０に形成されている。突出部１２をレンズ鏡筒２４の円周方向に対して回転させて、レンズ鏡筒２４下部から突出部１２を突出させることで、カメラ本体２２を支持面６０上に設置した際に、カメラ本体２２を傾斜した起立姿勢に保ち、所望のチルト角にて設置することができる。【選択図】　　図２
2004021091.tif 000002
【特許請求の範囲】
【請求項１】
カメラのレンズ鏡筒の円周方向に沿って回転可能に設けられ、該レンズ鏡筒の先端部を包囲するように装着されるレンズフードであって、
前記レンズフードには、前記レンズ鏡筒の光軸と一致する中心軸に対して半径方向の距離が周方向によって異なる外周部が形成され、前記レンズフードの回転位置に応じて該レンズフードが装着されたカメラのチルト角を調整可能にすることを特徴とするレンズフード。
【請求項２】
カメラのレンズ鏡筒の先端部を包囲するように装着されるレンズフード本体と、
前記レンズフード本体に対して回転自在に配設され、前記レンズ鏡筒の光軸と一致する中心軸に対して半径方向の距離が周方向によって異なる外周部と、を備え、前記外周部の回転位置に応じてレンズフードが装着されたカメラのチルト角を調整可能にすることを特徴とするレンズフード。
【発明の詳細な説明】
【０００１】
【発明の属する技術分野】
本発明はレンズフードに係り、とくにセルフタイマー撮影時などで三脚などを用いることなく、カメラを傾斜させて設置可能なレンズフードに関する。
【０００２】
【従来の技術】
カメラを三脚に取り付けることによって、カメラのチルト角（上下方向の角度）およびパン（左右方向の向き）を所望のアングルに定めることは広く行われている。
【０００３】
【発明が解決しようとする課題】
しかし、この場合はカメラの他に三脚が不可欠であるため、カメラとともに当該三脚を持ち運ばねばならない。また、この三脚の設置には周知の如く、比較的広いスペースが必要で、例えば設置面が狭い場合など、設置面の状況によっては三脚を使うことのできない場合がある。
【０００４】
一方、実公昭６１−１１７０６号公報には、カメラのレンズ鏡筒に折りたたみ可能な弧状片を取り付けておき、レンズ鏡筒から下方へ引き出した当該弧状片によって、カメラを所定のアングルに傾斜させて設置させる記載がある。
【０００５】
しかしながら、上述した公報に記載されているものは部品点数が多く、また、弧状片の操作時にレンズに撮影者の手が触れてしまう欠点があった。さらに、望遠レンズなど、レンズ鏡筒の内部にクローズアップレンズが設けられている場合には、クローズアップレンズを操作するための操作環がレンズ鏡筒の外周部に設けられるため、このようなレンズ鏡筒に弧状片を取り付けることは構造上困難であった。また、レンズ鏡筒の内部に弧状片を収納するための収納スペースを確保する必要があり、レンズ鏡筒内のクローズアップレンズ配置の自由度に制約が出る欠点があった。
【０００６】
本発明は上記点を鑑みてなされたものであり、三脚などを用いずに所望のアングルでカメラを設置できる、簡易な構造のレンズフードを提供することを目的とする。
【０００７】
【課題を解決する為の手段】
本発明は前記目的を達成する為に、カメラのレンズ鏡筒の円周方向に沿って回転可能に設けられ、該レンズ鏡筒の先端部を包囲するように装着されるレンズフードであって、前記レンズフードには、前記レンズ鏡筒の光軸と一致する中心軸に対して半径方向の距離が周方向によって異なる外周部が形成され、前記レンズフードの回転位置に応じて該レンズフードが装着されたカメラのチルト角を調整可能にすることを特徴とする。
【０００８】
本発明によれば、レンズ鏡筒の光軸（中心軸）に対して半径方向の距離が周方向によって異なるようにレンズフードの外周部を形成するとともに、レンズフードの外周部をレンズ鏡筒の下部に突出するようにレンズフードを回転させてカメラを設置することで、三脚を用いることなく所望の角度（チルト角）にてカメラを設置できる。
【０００９】
請求項２記載の発明は、カメラのレンズ鏡筒の先端部を包囲するように装着されるレンズフード本体と、前記レンズフード本体に対して回転自在に配設され、前記レンズ鏡筒の光軸と一致する中心軸に対して半径方向の距離が周方向によって異なる外周部と、を備え、前記外周部の回転位置に応じてレンズフードが装着されたカメラのチルト角を調整可能にすることを特徴とする。
【００１０】
請求項２に記載の発明によれば、レンズフード本体に対して回転可能に設けられ、レンズ鏡筒の光軸と一致する中心軸に対して半径方向の距離が周方向によって異なる外周部を備えており、この外周部をレンズ鏡筒の下部に突出するように回転させてカメラを設置することで、三脚を用いることなく所望の角度（チルト角）にてカメラを設置できる。
【００１１】
【発明の実施の形態】
以下、添付図面に従って、本発明に係るレンズフードの好ましい実施の形態について詳説する。
【００１２】
図１は、本発明の第１の実施の形態に係るレンズフード１０と、このレンズフード１０を備えたカメラ２０の外観を示した斜視図、図２はその側面図である。カメラ２０としては、いわゆるデジタルカメラやコンパクトカメラなどにも本発明を適用できるが、本実施の形態では、レンズ交換が可能なデジタルカメラとしてレフレックスデジタルカメラ（一眼レフデジタルカメラ、以下、単にカメラ２０とする）を用いて説明する。
【００１３】
図１に示すようにカメラ２０は、主としてカメラ本体２２とレンズ鏡筒２４、レンズフード１０などから構成されている。
【００１４】
カメラ本体２２には、その上部にシャッタボタン２８、液晶表示部３０が設けられている。シャッタボタン２８は２段階式に構成され、シャッタボタン２８を軽く押して止める「半押し」の状態で自動ピント合わせ（ＡＦ）および自動露出制御（ＡＥ）が作動してＡＦとＡＥをロックし、「半押し」から更に押し込む「全押し」することで撮影が行われる。
【００１５】
カメラ２０には、セルフタイマー機能が設けられている。このセルフタイマー機能は周知の如く、シャッタを所定時間おいて自動的にレリーズさせるためのもので、撮影者によって不図示の設定ボタンなどを操作してセルフタイマーモードとすれば、セルフタイマー撮影をすることができる。なお、カメラ本体２２の前面にセルフタイマー機能の操作部として所定時間を設定するセルフタイマーレバー４２を設け、このセルフタイマーレバー４２によって所定時間の経過後にシャッタをレリーズさせる構成としても良い。
【００１６】
液晶表示部３０は、カメラの状態や撮影モードなどに関する情報（いわば撮影ステータス）を表示するためのものであり、例えばバッテリーチェック表示、撮影可能コマ数の表示などが行われるほか、ストロボ発光部（不図示）をカメラ本体２２に設けた場合にはストロボ発光の有無などが表示される。
【００１７】
カメラ本体２２の背面にはファインダ３２（図２参照）が設けられている。撮影者はこのファインダ３２によって被写体を捕らえ、被写体を撮影範囲に収めるようにカメラ２０を操作（フレーミング）して撮影を行なう。また、同じくカメラ本体２２の背面にはモニタ表示部（不図示）が設けられており、このモニタ表示部にはレンズ鏡筒２４にて撮影された画像（スルー動画）を表示させることが可能である。撮影者はこのモニタ表示部によってもファインダ３２の映像を表示でき、撮影者はこれを確認しながら撮影できる。また、カメラ２０に装填されたメモリカードから記録済みの画像を読み出して、モニタ表示部にて再生表示させることもできる。
【００１８】
カメラ本体２２の内部には、不図示のメモリカード（記録媒体）を装着するメモリスロットが設けられており、符号２３は、このメモリカードをカメラ本体２２の内部に収納するためのメモリスロットのカバーである。このメモリカードに撮影した画像が画像データとして記録されて保存されるほか、記録済みの画像データをメモリカードから読み取ることも可能である。なお、本実施の形態においては、メモリカードとしては例えばスマートメディアが用いられるが、このほかにもＰＣカード、フラッシュメモリーカード、ＩＣカード、フロッピーディスク、光磁気ディスク（ＭＯ）などを用いてもよい。
【００１９】
カメラ本体２２の正面には、着脱自在のバヨネット構造で構成された不図示のレンズマウントが形成されており、このレンズマウントに、バヨネット機構を備えたレンズ鏡筒２４が着脱自在に取り付けられている。このレンズ鏡筒２４は同図に示すように略円筒状で形成されており、その外周面にはクローズアップ撮影を行うための操作環２６が設けられている。撮影者によって操作環２６を回転操作することで、レンズ鏡筒２４の内部に設けられたクローズアップレンズ（不図示）を、不図示の円筒カムによる直動手段にて操作して、クローズアップ撮影を行なうことができる。なお、バヨネット機構によってレンズ鏡筒２４の交換が可能であるので、上述したような望遠レンズに限ることなく、広角レンズなどをその用途に応じて用いることができる。
【００２０】
カメラ本体２２の内部には、レンズ鏡筒２４（すなわちクローズアップレンズ）の結像位置に、図示しないＣＣＤ（撮像素子）が配置され、レンズ鏡筒２４にて取り込まれて結像された被写体光を、入射光量に応じた量の信号電荷に変換し、カメラ本体２２に内蔵された不図示の信号処理部に出力させる。この信号処理部では、信号電荷を画像データ（デジタルデータ）として変換させるが、これら画像処理の説明は省略する。
【００２１】
レンズ鏡筒２４の先端にはレンズフード１０が取り付けられている。
【００２２】
レンズフード１０は、カメラの撮影においてレンズの画角以外から撮影に影響する光を遮断（遮光）するために設けられるもので、レンズ鏡筒２４の先端部に装着され、同図に示すようにラッパ型に先端を開いた形状にて形成されている。なお、このレンズフード１０は、レンズの画角や焦点距離に応じて形や長さが異なり、撮影レンズが長焦点であるほど大型なものが用いられる。
【００２３】
レンズフード１０は、レンズ鏡筒２４の光軸と一致する中心軸Ｌ２に対して半径方向の距離が周方向によって異なるようにその外周部が形成されている。すなわち図２に示すようにレンズフード１０には、レンズ鏡筒２４の光軸（中心軸Ｌ２）からレンズフード１０の外周部の一点までの距離Ｒ１と、同じく中心軸Ｌ２からレンズフード１０の外周部の他点までの距離Ｒ２とが夫々相違するように形成された突出部１２が設けられている。
【００２４】
また、このレンズフード１０は、レンズ鏡筒２４の表面に円周方向に沿って形成された不図示の溝に嵌合され、レンズ鏡筒２４の円周方向に対して回転可能に取り付けられている。なお、このレンズフード１０において、最も突出した外周部の寸法（Ｒ１）は、レンズ鏡筒２４の直径寸法とほぼ同寸法に形成されている。このような構成のレンズフード１０によって、レンズフード１０をレンズ鏡筒２４の円周方向に対して回転させれば、レンズ鏡筒２４の下部からレンズフード１０の突出部１２を突出するように位置させることができる（図１、符号１２ａ）。
【００２５】
このほかにも、カメラ本体２２には、カメラ本体２２に電源を供給するための不図示のバッテリなどが内蔵されているほか、被写体撮影を行うために必要な機器を内蔵しているが、これら説明は省略する。
【００２６】
上述したような構成のレンズフード１０の作用を、カメラ２０を用いて以下に説明する。
【００２７】
カメラ２０による通常の撮影時には、図１において、撮影者によりシャッタボタン２８を押圧操作することで、内蔵されたＣＣＤにて撮像された被写体の信号電荷が信号処理部に出力され、信号処理部にて画像データに変換され、得られた画像データはメディアスロット内のスマートメディアに書き込まれて記録される。
【００２８】
次に、カメラ２０を所望の角度（チルト角）にて傾斜させて、セルフタイマー撮影を行なう場合を説明する。
【００２９】
はじめに撮影者によって、不図示の設定ボタン（セルフタイマーレバー４２でもよい）を操作して、セルフタイマーモードとしておく。次に、撮影者によってレンズフード１０をレンズ鏡筒２４の円周方向に回転させて、レンズ鏡筒２４の下部から突出部１２を突出するように位置させる（図１、符号１２ａ）。この後、突出部１２の下部とカメラ本体２２の下面を図２に示すように設置面６０に当接するように設置させる。すると、カメラ本体２２の下面に対して所定の角度でカメラ２０が設置される。カメラ本体２２の自重によってカメラ本体２２が傾斜した起立姿勢に保たれ、カメラのアングルが、カメラ本体２２の下面に対する角度（チルト角θ）にて定まる。
【００３０】
この状態で、ファインダ３２によって被写体を捕らえ、被写体をフレーミングするように突出部１２をレンズ鏡筒２４回りで少量ずつ回転させて、チルト角θを微調整する。突出部１２をレンズ鏡筒２４の円周方向に対して回転させる回転角度によってチルト角θを微調整することができるので、接写体を正確にフレーミングすることができる。なお、例えば床などにカメラ２０が設置された場合には、ファインダ３２を目視にて確認する作業が煩雑となるため、モニタ表示部にレンズ鏡筒２４にて撮影された画像を表示させて、これを撮影者が確認しながらチルト角の微調整を行なうこともできる。
【００３１】
このようにして、カメラ本体２２の下面に対するチルト角θを所望の角度に調節した後、カメラ２０を設置面６０上に設置したまま撮影を行う。シャッタボタン２８を押圧してセルフタイマーを作動させれば、所定時間（例えば１０秒程度）シャッタのレリーズが抑制され、この所定時間の経過後に撮影が行なわれる。
【００３２】
このように、本実施の形態に示したレンズフード１０によれば、レンズフード１０の外周部を、レンズ鏡筒２４の光軸（中心軸Ｌ２）に対して半径方向の距離Ｒ１、Ｒ２が周方向によって異なるように形成するとともに、レンズフード１０を回転させて、レンズフード１０の外周部（突出部１２）をレンズ鏡筒２４の下部に突出させてから、カメラ２０を床面６０に設置することで、三脚を用いることなく所望のチルト角θにてカメラ２０を設置できる。とくに、三脚を用いた場合と比較して、カメラ２０の設置面が狭く、カメラ２０の底面と略同等の床面などでもカメラ２０の設置が可能である。
【００３３】
図３は、本発明の第２の実施の形態に係るレンズフード５０と、このレンズフード５０を備えたカメラ２０の外観を示した斜視図、図４はその側面図である。なお、カメラ２０に関しては、第１の実施の形態におけるカメラ２０とほぼ同様の仕様であるので、その説明を省略するとともに、同一符号として以下に示す。
【００３４】
レンズ鏡筒２４の先端にはレンズフード５０が取り付けられており、このレンズフード５０はフード本体５２と、平板部材５４とから構成されている。
【００３５】
フード本体５２は、レンズ鏡筒２４の先端部に装着され、同図に示すようにラッパ型に先端を開いた形状にて形成されている。
【００３６】
平板部材５４はフード本体５２の表面に円周方向に沿って形成された溝５２ａに嵌合され、フード本体５２の円周方向に対して回転可能に取り付けられている。また、平板部材５４は、同図に示すように円形形状の平板で形成され、平板部材５４の円周方向における断面の中心軸Ｌ１と、レンズ鏡筒２４の中心軸Ｌ２とが偏心するようにレンズ鏡筒２４に取り付けられている。すなわち、レンズフード５０に回転自在に設けられた平板部材５４は、レンズ鏡筒２４の光軸と一致する中心軸Ｌ２に対して半径方向の距離が周方向によって異なるようにその外周部が形成され、図４におけるレンズ鏡筒２４の光軸（中心軸Ｌ２）から平板部材５４の外周部の一点までの距離Ｒ３と、同じく中心軸Ｌ２から平板部材５４の外周部の他点までの距離Ｒ４とが夫々相違するように形成されている。なお、この平板部材５４の外周部の寸法（すなわち平板部材５４の直径寸法（Ｒ１＋Ｒ２））は、レンズ鏡筒２４の直径寸法に対して、およそ１．５倍に形成されている。このような構成のレンズフード５０によって、平板部材５４をレンズ鏡筒２４の円周方向に対して回転させて、レンズ鏡筒２４の下部から平板部材５４を突出するように位置させることができる（図３、符号５４ａ）。
【００３７】
上述したような構成のレンズフード５０の作用を以下に説明する。
【００３８】
撮影者によって平板部材５４をレンズ鏡筒２４の円周方向に回転させて、レンズ鏡筒２４の下部から平板部材５４を突出するように位置させる（図３、符号５４ａ）。この後、平板部材５４の下部とカメラ本体２２の下面を図２に示すように設置面６０に当接するように設置させる。すると、カメラ本体２２の下面に対して所定の角度でカメラ２０が設置される。カメラ本体２２の自重によってカメラ本体２２が傾斜した起立姿勢に保たれ、カメラのアングルが、カメラ本体２２の下面に対するチルト角θにて定まる。
【００３９】
この状態で、ファインダ３２によって被写体を捕らえ、被写体をフレーミングするように平板部材５４をレンズ鏡筒２４回りで少量ずつ回転させて、チルト角θを微調整する。平板部材５４をレンズ鏡筒２４の円周方向に対して回転させる回転角度によって、チルト角θを微調整することができるので、接写体を正確にフレーミングすることができる。平板部材５４にてカメラ本体２２の下面に対するチルト角θを所望の角度に調節した後、カメラ２０を設置面６０上に設置したまま撮影を行う。
【００４０】
このように、本実施の形態に示したレンズフード５０によれば、レンズフード５０に回転自在に設けられた平板部材５４の外周部を、レンズ鏡筒２４の光軸（中心軸Ｌ２）に対して半径方向の距離Ｒ３，Ｒ４が周方向によって異なるように形成するとともに、平板部材５４を回転させて、平板部材５４の外周部をレンズ鏡筒２４の下部に突出させてカメラ２０を床面６０に設置することで、三脚を用いることなく所望のチルト角θにてカメラ２０を設置できる。
【００４１】
なお、本発明は前記実施の形態に限定されるものではない。例えば、レンズ鏡筒２４の中心軸Ｌ２から突出部１２（平板部材５４）の外周部までの距離と、中心軸Ｌ２から突出部１２（平板部材５４）の他の外周部までの距離とが夫々相違する構成であればその形状を問わないので、突出部１２（平板部材５４）は前記実施の形態に示した形状に限ることなく、例えば楕円形状や矩形形状に形成されてもよい。
【００４２】
なお、前記実施の形態に示したカメラ本体２２の背面に、カメラ２０の倒れ防止部材を付加してもよい。この倒れ防止部材は棒状の部材からなり、その長さは、カメラ本体２２の高さ寸法と略同等の寸法で形成され、カメラ本体２２の背面の上部に設けられた不図示の軸に、その一端が回動自在に支持される。図２に示すようにカメラ本体２２が、設置面６０上で傾斜した起立姿勢に保たれている場合に、カメラ本体２２の背面から倒れ防止部材の下端を突出させて、カメラ２０を支持させる。これにより、カメラ本体２２から突出された倒れ防止部材の下端が設置面６０に当たってカメラ本体２２の転倒を防止でき、例えば撮影中に、風などの影響で背方へ倒れて倒伏姿勢になろうとしたときにも、カメラ本体２２の転倒を防止でき、ファインダ３２やモニタ表示部の損傷を防ぐことができる。
【００４３】
【発明の効果】
以上、説明したように本発明に係るレンズフードによれば、レンズ鏡筒の光軸（中心軸）に対して半径方向の距離が周方向によって異なるようにレンズフードの外周部を形成するとともに、レンズフードの外周部をレンズ鏡筒の下部に突出するようにレンズフードを回転させてカメラを設置することで、三脚を用いることなく所望の角度（チルト角）にてカメラを設置できる。
【００４４】
また、請求項２に記載の発明によれば、レンズフード本体に対して回転可能に設けられ、レンズ鏡筒の光軸と一致する中心軸に対して半径方向の距離が周方向によって異なる外周部を備えており、この外周部をレンズ鏡筒の下部に突出するように回転させてカメラを設置することで、三脚を用いることなく所望の角度（チルト角）にてカメラを設置できる。
【図面の簡単な説明】
【図１】本発明の実施の形態に係るレンズフードと、このレンズフードが用いられるカメラの外観を示す斜視図
【図２】本発明の実施の形態に係るレンズフードの作用を示す側面図
【図３】本発明の別の実施の形態に係るレンズフードと、このレンズフードが用いられるカメラの外観を示す斜視図
【図４】本発明の別の実施の形態に係るレンズフードの作用を示す側面図
【符号の説明】
１０，５０…レンズフード、１２…突出部（外周部）、２０…カメラ、２４…レンズ鏡筒、５２…レンズフード本体、５４…平板部材（外周部）、Ｌ２…光軸（中心軸）、θ…チルト角、
【図１】
2004021091.tif 000003
【図２】
2004021091.tif 000004
【図３】
2004021091.tif 000005
【図４】
2004021091.tif 000006